(57)【要約】【課題】生体壁全層の切除等を行う際に、高周波電極や観察窓が切除対象に対して振らつくことなく、安全かつ円滑に切除処置等を行うことができ、また、生体壁の表面側の状態だけでなく、裏面側の血管の走行状態等も観察しながら安全に切除処置等を行うことができる処置用内視鏡を提供すること。【解決手段】可撓性の挿入部１の先端近傍の領域に断面形状が偏平な可撓性偏平部２が設けられて、可撓性偏平部２の先端部分に観察窓３が側方に向けて偏平面２ａ側に配置されると共に、導電線案内管６内に軸線方向に進退自在に挿通された導電線７が導電線案内管６の出口開口６ａから偏平面２ａに沿って高周波電極７Ａとして可撓性偏平部２の先端部分まで延出して露出配置され、導電線７の先端が可撓性偏平部２の先端付近に連結されている。【選択図】      図１
2010178934.tif 000002
【特許請求の範囲】
【請求項１】
可撓性の挿入部の先端近傍の領域に断面形状が偏平な可撓性偏平部が設けられて、
上記可撓性偏平部の先端部分に観察窓が側方に向けて偏平面側に配置されると共に、
遠隔操作により湾曲自在な湾曲部が上記可撓性偏平部の近傍後方位置に設けられ、
上記挿入部内に挿通配置された導電線案内管の出口開口が上記可撓性偏平部の基端側に配置されて、
上記導電線案内管内に軸線方向に進退自在に挿通された導電線が上記導電線案内管の出口開口から上記偏平面に沿って高周波電極として上記可撓性偏平部の先端部分まで延出して露出配置され、
上記導電線の先端が上記可撓性偏平部の先端付近に連結されて、
上記導電線を基端側から牽引操作することにより上記可撓性偏平部が弓状に湾曲して上記高周波電極が弦状になることを特徴とする処置用内視鏡。
【請求項２】
上記可撓性偏平部が上記湾曲部より小さな曲率半径で湾曲する請求項１記載の処置用内視鏡。
【請求項３】
上記可撓性偏平部の基端部付近に第２の観察窓が設けられている請求項１又は２記載の処置用内視鏡。
【請求項４】
上記第２の観察窓が斜め前方に向けて配置されている請求項３記載の処置用内視鏡。
【請求項５】
上記可撓性偏平部の上記高周波電極が面している偏平面に、横方向に溝が形成されている請求項１ないし４のいずれかの項に記載の処置用内視鏡。
【請求項６】
上記可撓性偏平部の先端付近の領域が可撓性のない硬質部になっている請求項１ないし５のいずれかの項に記載の処置用内視鏡。
【請求項７】
上記導電線案内管の出口開口が、上記可撓性偏平部の基端付近の領域に対し並列に並んで配置された半管部の先端部分に配置されている請求項１又は２記載の処置用内視鏡。
【発明の詳細な説明】
【技術分野】
【０００１】
この発明は処置用内視鏡に関する。
【背景技術】
【０００２】
内視鏡においては一般に、遠隔操作により湾曲自在な湾曲部が挿入部の先端付近に設けられて、湾曲部の先端側に観察窓と処置具突出口等が配置されている。ただし、処置用内視鏡では、湾曲部の先端側と基端側の双方に観察窓と処置具突出口を配置して、処置能力を高めたもの等もある（例えば、特許文献１、２）。
【先行技術文献】
【特許文献】
【０００３】
【特許文献１】特開２００４−２２３０５３
【特許文献２】特開２００５−９５５９０
【発明の概要】
【発明が解決しようとする課題】
【０００４】
近年の処置用内視鏡を用いた手術の進歩は目ざましく、粘膜切開術や粘膜剥離術等がごく当たり前のように実施されるようになり、最近では、胃壁等のような生体壁全層の切除を行う試みもなされている。
【０００５】
しかし、特許文献１に記載されているような従来の処置用内視鏡で生体壁全層の切除を行おうとすると、切除中に処置具の切開電極が振らついたり内視鏡の観察窓位置が切除部位に対して振らついたりして、安定した状態で切除処置を行うことができない場合がある。
【０００６】
また、生体壁全層を切除する場合には、生体壁の表面側の状態だけでなく、生体壁の裏面側の血管の走行状態等にも気を配って切除を行う必要があるが、従来の処置用内視鏡ではそのような機能が得られない。
【０００７】
本発明は、生体壁全層の切除等を行う際に、高周波電極や観察窓が切除対象に対して振らつくことなく、安全かつ円滑に切除処置等を行うことができ、また、生体壁の表面側の状態だけでなく、裏面側の血管の走行状態等も観察しながら安全に切除処置等を行うことができる処置用内視鏡を提供することを目的とする。
【課題を解決するための手段】
【０００８】
上記の目的を達成するため、本発明の処置用内視鏡は、可撓性の挿入部の先端近傍の領域に断面形状が偏平な可撓性偏平部が設けられて、可撓性偏平部の先端部分に観察窓が側方に向けて偏平面側に配置されると共に、遠隔操作により湾曲自在な湾曲部が可撓性偏平部の近傍後方位置に設けられ、挿入部内に挿通配置された導電線案内管の出口開口が可撓性偏平部の基端側に配置されて、導電線案内管内に軸線方向に進退自在に挿通された導電線が導電線案内管の出口開口から偏平面に沿って高周波電極として可撓性偏平部の先端部分まで延出して露出配置され、導電線の先端が可撓性偏平部の先端付近に連結されて、導電線を基端側から牽引操作することにより可撓性偏平部が弓状に湾曲して高周波電極が弦状になるものである。
【０００９】
なお、可撓性偏平部が湾曲部より小さな曲率半径で湾曲するようにするとよい。また、可撓性偏平部の基端部付近に第２の観察窓が設けられていてもよく、第２の観察窓が斜め前方に向けて配置されていてもよい。
【００１０】
また、可撓性偏平部の高周波電極が面している偏平面に、横方向に溝が形成されていると可撓性偏平部が円滑に湾曲し、可撓性偏平部の先端付近の領域が可撓性のない硬質部になっていてもよい。そして、導電線案内管の出口開口が、可撓性偏平部の基端付近の領域に対し並列に並んで配置された半管部の先端部分に配置されていてもよい。
【発明の効果】
【００１１】
本発明によれば、導電線が基端側から牽引操作されると可撓性偏平部が弓状に湾曲して高周波電極が弦状になるので、高周波電極に高周波電流を通電することにより、生体壁全層の切除等を行う際に、高周波電極や観察窓が切除対象に対して振らつくことなく、安全かつ円滑に切除処置等を行うことができ、また、可撓性偏平部の先端に配置された観察窓を通して、生体壁の裏面側の血管の走行状態等を観察しながら安全に切除処置等を行うことができる。
【図面の簡単な説明】
【００１２】
【図１】本発明の第１の実施例に係る処置用内視鏡の挿入部の先端側部分の斜視図である。
【図２】本発明の第１の実施例に係る処置用内視鏡の挿入部の先端部分の側面部分断面図である。
【図３】本発明の第１の実施例に係る処置用内視鏡の全体構成図である。
【図４】本発明の第１の実施例に係る処置用内視鏡に用いられるビデオプロセッサ側の装置の略示図である。
【図５】本発明の第１の実施例に係る処置用内視鏡に用いられるビデオプロセッサ側のモニタ画面の変形例の略示図である。
【図６】本発明の第１の実施例に係る処置用内視鏡に用いられるビデオプロセッサ側の装置の変形例の略示図である。
【図７】本発明の第１の実施例に係る処置用内視鏡の使用状態を示す略示図である。
【図８】本発明の第２の実施例に係る処置用内視鏡の挿入部の先端側部分の側面図である。
【図９】本発明の第３の実施例に係る処置用内視鏡の挿入部の先端側部分の側面図である。
【図１０】本発明の第４の実施例に係る処置用内視鏡の挿入部の先端側部分の側面図である。
【発明を実施するための形態】
【００１３】
以下、図面を参照して本発明の実施例を説明する。
図１は、本発明の第１の実施例に係る処置用内視鏡の先端側部分の斜視図、図２は側面部分断面図である。
【００１４】
可撓性の挿入部１の先端近傍の領域には、断面形状が偏平な可撓性偏平部２が設けられている。可撓性偏平部２の先端部分には、観察窓３と照明窓４が側方（即ち、偏平面２ａが面する方向）に向けて偏平面２ａ側に配置されている。図２に示される４Ａは、照明窓４の裏側に配置されたライトガイドファイババンドルの射出端部である。
【００１５】
可撓性偏平部２は、例えば円形の断面形状をなす挿入部１を略半円状に切り削いだ断面形状に形成されていて、その長さは例えば数ｃｍ程度である。挿入部１全体の長さは例えば５０ｃｍ〜１．５ｍ程度である。
【００１６】
可撓性偏平部２は、例えば可撓性のマルチルーメンチューブの先端面を塞ぐことにより形成することができるが、軟質プラスチック材のモールド品又はその他のものから形成しても差し支えない。
【００１７】
可撓性偏平部２の先端付近の観察窓３と照明窓４が配置されている領域は可撓性のない硬質部になっているが、可撓性偏平部２のその他の領域は偏平面２ａの方向に容易に湾曲させることができる可撓性を有している。
【００１８】
可撓性偏平部２の近傍後方位置、即ち、可撓性偏平部２の基端側に隣接する挿入部１の領域には、挿入部１の基端側からの遠隔操作により湾曲自在な湾曲部５が設けられている。湾曲部５の長さは例えば数ｃｍ〜１０数ｃｍ程度であり、可撓性偏平部２の方が湾曲部５より小さな曲率半径で湾曲することができる。
【００１９】
挿入部１内には、電気絶縁性チューブ等からなる導電線案内管６が湾曲全長にわたって挿通配置されていて、その導電線案内管６の出口開口６ａが、可撓性偏平部２の偏平面２ａに沿う向きに可撓性偏平部２の基端側に配置されている。
【００２０】
導電線案内管６の出口開口６ａと並んで可撓性偏平部２の基端部に隣接する位置には、第２の観察窓１３と照明窓１４が、偏平面２ａが面する方向に合わせて斜め前方に向けて配置されている。
【００２１】
導電線案内管６内には、導電線７が軸線方向に進退自在に挿通されている。導電線７は、導電線案内管６の出口開口６ａから可撓性偏平部２の偏平面２ａに沿って可撓性偏平部２の先端部分まで延出配置されている。
【００２２】
導電線７は、可撓性偏平部２の偏平面２ａに沿う露出部分（即ち、内視鏡外部に露出している部分）が電気絶縁被覆等が施されていない線状の高周波電極７Ａになっていて、高周波電極７Ａの先端（即ち、導電線７の最先端部）は可撓性偏平部２の先端付近に連結固定されている。
【００２３】
ただし、高周波電極７Ａの先端を可撓性偏平部２の先端に着脱自在に連結してもよく、そのようにすれば、高周波電極７Ａが高周波処置への使用で劣化した場合等に交換できるようにすることができる。
【００２４】
上述のような構成により、導電線７が基端側から牽引操作されると、図２に二点鎖線で示されるように可撓性偏平部２が偏平面２ａが面する方向に弓状に湾曲して高周波電極７Ａが弓の弦のような状態になり、高周波電極７Ａで生体壁等を高周波切開することができる。導電線７の牽引操作が解除されると、可撓性偏平部２は自己の弾性により元の真っ直ぐに近い状態に戻る。
【００２５】
図３は、処置用内視鏡の全体構成を示しており、挿入部１の基端に連結された操作部９０には、湾曲部３を遠隔操作するための湾曲操作ノブ９１や、観察窓３及び第２の観察窓１３を通して撮像される観察像についての制御を行うための観察像制御ボタン９３等が配置されている。９９は、後述するビデオプロセッサに接続するためのコネクタ部である。
【００２６】
９５は、導電線７を軸線方向に進退操作するための導電線操作レバーである。その機構の構造は、公知の鉗子起上操作機構等と変わりがないものを利用することができるので、詳細な説明は省略する。
【００２７】
９６は、図示されていない高周波電源コードを接続するための接続端子であり、導電線７と電気的に常につながっている。したがって、導電線７を経由して高周波電極７Ａに高周波電流を任意に通電することができる。
【００２８】
図４は、内視鏡観察像等を制御するためのビデオプロセッサ１００と内視鏡観察像を表示するためのモニタ１０１等を示しており、観察窓３を通して得られた内視鏡観察像１２１がモニタ１０１に大きく表示されて、その内視鏡観察像中に、第２の観察窓１３を通して得られた内視鏡観察像１４１が表示される。いわゆるピクチャー・イン・ピクチャーである。１５１は、その画像に関するデータ等を表示するためのサブ表示領域である。
【００２９】
ただし、図５に示されるように、観察窓３を通して得られた内視鏡観察像１２１と第２の観察窓１３を通して得られた内視鏡観察像１４１を一つのモニタ１０１中に同じ大きさに表示しても差し支えない。
【００３０】
また、図６に示されるように、観察窓３を通して得られた内視鏡観察像１２１と第２の観察窓１３を通して得られた内視鏡観察像１４１を、別のモニタ１０１，２０１に並べて表示してもよい。
【００３１】
図７は、本実施例に係る処置用内視鏡を用いて行われる胃壁５００の全層切除処置の一例を示しており、図示されていない内視鏡用高周波メス等で胃壁５００に小さく形成された穿孔５０１に可撓性偏平部２を途中まで差し込んで、導電線７を基端側から牽引操作することにより、高周波電極７Ａが弓の弦状になって可撓性偏平部２が湾曲した状態になる。
【００３２】
そこで、高周波電極７Ａに高周波電流を通電することにより、高周波電極７Ａと接触する胃壁５００が高周波焼灼により切断され、切断箇所を移動させていくことにより胃壁５００の全層切除を行うことができる。
【００３３】
その際に、高周波電極７Ａが弓の弦状になった状態を保って振らつかず、また、可撓性偏平部２の先端に設けられた観察窓３等も高周波電極７Ａと機械的に固定された状態になることにより、切除対象部位に対して振らつかない。したがって、切除部位を常に確実に観察しながら安全かつ円滑に切除処置を行うことができる。
【００３４】
そして、可撓性偏平部２の基端に設けられている第２の観察窓１３を通して、胃壁５００の表面側の状態を観察することができるだけでなく、可撓性偏平部２の先端に設けられている観察窓３を通して、胃壁５００の裏面側の血管の走行状態等も観察しながら安全に切除処置等を行うことができる。
【００３５】
なお、本発明は上記実施例に限定されるものではなく、例えば、図８に示される第２の実施例のように、可撓性偏平部２の高周波電極７Ａが面している側の偏平面２ａに、横方向（即ち、可撓性偏平部２の長手方向に対し直交する方向）に適宜の数の溝２ｇが形成されていてもよい。このように構成することにより、可撓性偏平部２がよりスムーズに湾曲する。
【００３６】
また、図９に示される第３の実施例のように、可撓性偏平部７の先端付近の領域が可撓性のない硬質部２Ｈになっていてもよい。このように構成することにより、可撓性偏平部２の湾曲形状が「く」の字状になり、その結果、高周波電極７Ａの振らつきがより小さくなる。
【００３７】
なお、可撓性偏平部２の先端部分の観察窓３の周辺領域には可撓性のない硬質部ができてしまうものであるが、この実施例では硬質部２Ｈを積極的に長く形成したものであり、硬直した部材を適宜内装させることで任意の長さの硬質部２Ｈを形成することができる。
【００３８】
また、図１０に示される第４の実施例のように、断面形状が半円形の半管部１ｘを、可撓性偏平部２の基端付近の領域に対し並列に並ぶように挿入部１の外装部分から前方に延出配置して、導電線案内管６の出口開口６ａをその半管部１ｘの先端部分に配置してもよい。
【００３９】
このように構成することにより、可撓性偏平部２に対する高周波電極７Ａの長さを短く形成することができ、症例等に応じて安定した切開を行うことができる場合がある。
【００４０】
なお、本発明は多様な実施態様をとることができ、例えば、図９及び図１０に示される第３及び第４の実施例の可撓性偏平部２に、図８に示される第２の実施例の溝２ｇと同様の溝を形成すれば、可撓性偏平部２が振らつきなく安定した状態によりスムーズに湾曲する。
【符号の説明】
【００４１】
１  挿入部
１ｘ  半管部
２  可撓性偏平部
２ａ  偏平面
２ｇ  溝
２Ｈ  硬質部
３  観察窓
５  湾曲部
６  導電線案内管
６ａ  出口開口
７  導電線
７Ａ  高周波電極
１３  第２の観察窓
【図１】
2010178934.tif 000003
【図２】
2010178934.tif 000004
【図３】
2010178934.tif 000005
【図４】
2010178934.tif 000006
【図５】
2010178934.tif 000007
【図６】
2010178934.tif 000008
【図７】
2010178934.tif 000009
【図８】
2010178934.tif 000010
【図９】
2010178934.tif 000011
【図１０】
2010178934.tif 000012